(57)【特許請求の範囲】
【請求項１】
複数のオーディオ信号をディジタル信号として記録媒体に記録再生可能なディジタル信号記録再生装置であって、そのオーディオデータの一部をアフレコ編集する機能が付加されている装置において、記録媒体に記録されているオーディオデータのフレームサイズ情報抽出手段と、アフレコ編集するオーディオデータのフレームサイズ情報抽出手段と、前記両フレームサイズ情報抽出手段から抽出された双方の情報を基にアフレコ編集により記録されるオーディオデータのフレームサイズを制御する制御手段と、アフレコ編集により記録されるオーディオデータのフレームサイズの情報を処理する処理手段とを備え、前記制御手段は、オーディオデータに対し、ＤＶ規格で規定されているオーディオエラーコードを用いてフレームサイズ制御を行うことを特徴とするディジタル信号記録再生装置。
【発明の詳細な説明】
【０００１】
【発明の属する技術分野】
本発明は、映像信号の記録再生を行うディジタル信号記録再生装置に関し、特にオーディオ信号のアフレコ編集を行う装置に関するものである。
【０００２】
【従来の技術】
映像信号の記録再生を行うＶＴＲ（ビデオテープレコーダ）において、画質や音質の劣化がほとんどない状態で記録再生を行うことができるディジタルＶＴＲが提案されている。
ディジタルＶＴＲは、ビデオ信号およびオーディオ信号をディジタルデータ化し、誤り訂正用のパリティや、映像および音声などの各種情報を示す補助データを付加した上で磁気テープに記録し、再生時には、磁気テープ上に記録されているこの補助データを基にＶＴＲの動作の制御を行い、再生映像信号を得ている。このようなディジタルＶＴＲの１つとして、ＨＤディジタルＶＣＲ協議会（ＨＤＤｉｇｉｔａｌ  ＶＣＲ  Ｃｏｎｆｅｒｅｎｃｅ）において１９９４年に合意されたＤＶ規格がある。
この規格の概要について以下に説明する。
【０００３】
図４は、ＤＶ規格における磁気テープ上の記録テープパターンを示している。ＮＴＳＣ方式に代表される５２５／６０方式では、１フレームを１０本のトラックで構成している。１本のトラックには、ＩＴＩセクタ，オーディオセクタ，ビデオセクタ，サブコードセクタの４つがそれぞれギャップで分離されて記録される。
【０００４】
図５は、このうちのオーディオセクタの構成を示すものである。
オーディオセクタは、オーディオデータなどを収納した９個のシンクブロックと、アウタパリティを収納した５個のシンクブロックから構成され、それぞれシンクエリア２バイトとＩＤコード３バイトが付加されている。前者の９バイトのシンクブロックには、音声信号がディジタル化されたオーディオデータの他、オーディオ補助データを示すＡＡＵＸ、アウタパリティと共に誤り訂正に使われるインナパリティが収納されている。再生時には、ＡＡＵＸに収納されている音声信号に関する情報を基に、音声処理の制御を行う。
【０００５】
図６は、ＡＡＵＸの中のソースパックと呼ばれる６バイトデータの構成を示している。ＰＣ０はパックヘッダと呼ばれ、５０（Ｈ）の値になっており、このパックがソースパックであることを示している。ＰＣ１にあるＡＦ  ＳＩＺＥ（オーディオフレームサイズ）は、１フレーム中のオーディオサンプル数を示すデータである。ＰＣ２にあるＣＨＮおよびＡＵＤＩＯ  ＭＯＤＥ，ＰＣ４にあるＳＭＰおよびＱＵは、オーディオのサンプリング周波数，チャンネル数などの情報を示すデータである。
このＤＶ規格では、画質や音質の劣化がない高品質な編集ダビングが可能なディジタルインターフェイスとして、通信プロトコルＩＥＥＥ１３９４に準拠したＤＶ端子がオプション規格として用意されている。実際に各社から出されているＤＶ規格に準拠したＶＴＲ機器などにも搭載されており、民生用ディジタルＶＴＲやその周辺機器における主流のディジタルインターフェイスになってきている。
【０００６】
【発明が解決しようとする課題】
アナログＶＴＲにおける場合と同様に、上記のようなディジタルＶＴＲにおいても、既に記録された磁気テープに対してのオーディオ信号のアフレコ編集が行われている。その際、記録されているオーディオデータの一部をアフレコ編集する場合は、磁気テープに既に記録されているオーディオデータのフレームサイズを基に、アフレコしようとするオーディオ信号のフレームサイズを制御する必要がある。
アナログのオーディオ信号をアフレコする場合には、記録されているオーディオデータのフレームサイズを基にＰＬＬ制御されたクロックを用いて、オーディオ信号をＡ／Ｄ変換器によりディジタル化することにより、フレームサイズ制御を行い、アフレコ編集を可能としている。
【０００７】
一方、上記のようなディジタルインターフェイスから入力されたオーディオデータの場合は、既に、ディジタルデータ化されており、フレームサイズ制御を行うことができないため、記録されているオーディオデータとアフレコするオーディオデータ間でフレームサイズが管理されている保証がない。特に、民生用ディジタルＶＴＲでは、ビデオ信号とオーディオ信号とのクロック同期が保証されていないアンロックモードが使用されることが多く、アフレコ編集でのオーディオデータ間でのフレームサイズが異なる可能性が高くなる。
したがって、このような場合は、ディジタルアフレコ編集自体をあきらめるか、入力されたディジタルデータを、一旦、Ｄ／Ａ変換器によりアナログ信号に戻した後、再度、ＰＬＬ制御されたクロックを用いてＡ／Ｄ変換によりディジタルデータ化して、フレームサイズ制御を行う方法を採ることなどで実現している。しかしながら、上記の方法では、アナログ信号処理が行われることによる信号劣化や、Ａ／Ｄ・Ｄ／Ａ変換器，ＰＬＬ回路などのアナログ信号処理回路の増大・複雑化が避けられず問題となる。
【０００８】
本発明の目的は、上記のような課題を解決するためになされたものであり、ディジタルインターフェイスから入力されたオーディオデータに対して、ディジタルデータ再生を行い、ディジタルデータのままでアフレコ編集が可能なディジタル記録再生装置を提供することである。
【０００９】
【課題を解決するための手段】
請求項１に記載の発明は、複数のオーディオ信号をディジタル信号として記録媒体に記録再生可能なディジタル記録再生装置であって、そのオーディオデータの一部をアフレコ編集する機能が付加されている装置において、記録媒体に記録されているオーディオデータのフレームサイズ情報抽出手段と、アフレコ編集するオーディオデータのフレームサイズ情報抽出手段と、前記両フレームサイズ情報抽出手段から抽出された双方の情報を基にアフレコ編集により記録されるオーディオデータのフレームサイズを制御する制御手段と、アフレコ編集により記録されるオーディオデータのフレームサイズの情報を処理する処理手段とを備え、前記制御手段は、オーディオデータに対し、ＤＶ規格で規定されているオーディオエラーコードを用いてフレームサイズ制御を行うようにしたものである。
【００１２】
以上の構成により、本発明は、ディジタルオーディオデータをアフレコ編集する際において、アフレコするオーディオデータのフレームサイズ制御を行うことにより、アナログ周辺回路の増大なしに、再生時のオーディオ信号波形に不連続が発生することによる雑音の発生を防ぐとともに、聴覚上音質劣化のないディジタルアフレコ編集が可能となる。
【００１３】
【発明の実施の形態】
以下、本発明のディジタル信号記録再生装置の実施例について、図面を参照しながら説明する。
図１は、本発明のディジタル信号記録再生装置の一実施例を示すブロック図である。
同図において、１は再生信号処理部、１６は再生ＡＡＵＸデータ抽出部、１７はＡＦサイズ制御部、１８は記録ＡＡＵＸデータ処理部、１９は記録ＡＡＵＸデータ抽出部、２０は記録信号処理部である。
以下にその動作を示す。
【００１４】
記録時においては、アナログ入力端子３０，３２より入力されたビデオ信号およびオーディオ信号は、Ａ／Ｄ変換器２１，２７でディジタルデータ化され、それぞれビデオ信号記録処理部２８，オーディオ信号記録処理部２２で、符号化，シャフリングなどのディジタル処理される。このデータは、記録ＡＡＵＸデータ処理部１８よりの補助データ（ＡＡＵＸデータ）とともに、誤り訂正部２３において誤り訂正用のパリティが付加され、チャンネルコーディング部２４においてディジタル記録再生系に適合するためのディジタル変調などが行われ、記録アンプ２５を通して、記録ヘッド２９により、図示しない磁気テープに記録される。
【００１５】
記録する対象がディジタル入力端子３１より入力されたディジタル入力データの場合は、Ａ／Ｄ変換器によるディジタルデータ化の処理の代わりに、ディジタルインターフェイス２６により、外部とのインターフェイス処理が行われること以外は同様である。
【００１６】
再生時においては、図示しない磁気テープに記録されているディジタルデータは、再生ヘッド１２でピックアップされて、再生アンプ１１で増幅され、イコライザ１０で波形等化され、ＰＬＬ回路９により、制御された安定したクロックに乗り換えられた後、チャンネルコーディング部８で復調される。復調されたディジタルデータは、記録時に付加されたパリティを用いた誤り訂正処理が行われ、ビデオ信号再生処理部３，オーディオ信号再生処理部６で、デシャフリング，復号化などの処理が行われ、Ｄ／Ａ変換器２，５でアナログ信号に変換され、それぞれ再生ビデオ信号，再生オーディオ信号として出力端子１３，１５から出力される。
【００１７】
アフレコ編集時には、再生時と同様に、磁気テープに記録されていたオーディオデータが、オーディオ信号再生処理部６まで処理される。このデータから再生ＡＡＵＸデータ抽出部１６により、再生ＡＡＵＸデータが抽出され、ＡＦサイズ制御部１７，記録ＡＡＵＸデータ処理部１８に送られる。一方、アフレコ編集するためにディジタルインターフェイス２６経由で入力されたディジタルオーディオデータは、オーディオ信号記録処理部２２，記録ＡＡＵＸデータ抽出部１９に送られる。記録ＡＡＵＸデータ抽出部１９では、ディジタルデータ中にＡＡＵＸがある場合は、そのデータを、ＡＡＵＸそのものがない場合は、同等の情報を内蔵しているデータを抽出し、ＡＦサイズ制御部１７，記録ＡＡＵＸデータ処理部１８に対して送る。ＡＦサイズ制御部１７では、再生ＡＡＵＸデータと記録ＡＡＵＸデータのそれぞれに含まれている再生フレームサイズ，記録フレームサイズを基に、実際にアフレコ編集により磁気テープに記録されるオーディオデータのフレームサイズに制御するための制御信号を作成し、オーディオ信号記録処理部２２に対して送る。記録ＡＡＵＸデータ処理部１８では、再生ＡＡＵＸデータ抽出部１６からの再生ＡＡＵＸデータと、記録ＡＡＵＸデータ抽出部１９からの記録ＡＡＵＸデータ双方を参照し、その情報を基に、アフレコ編集により実際に磁気テープに記録されるＡＡＵＸデータの内容を変更する。その変更内容の中には、再生ＡＡＵＸデータに内在されていたフレームサイズ情報を基に制御されたフレームサイズの情報も含まれる。そして、オーディオ信号記録処理部２２からのオーディオデータと、記録ＡＡＵＸデータ処理部１８からのＡＡＵＸデータは、誤り訂正部２３において誤り訂正用のパリティが付加され、チャンネルコーディング部２４を通して、記録ヘッド２９により、図示しない磁気テープに記録される。
【００１８】
図２は、本発明に係わるオーディオフレームサイズ制御の処理方法の一実施例を示すフローチャートである。
次に、このフローチャートを使って、フレームサイズの制御方法の一実施例を説明する。
まず、記録フレームサイズ（ｍ）と再生フレームサイズ（ｎ）の比較を行う（ステップＳ１）。（ｍ＞ｎ）の場合は、記録オーディオデータからフレームサイズの差分（ｍ−ｎ）以上のｐ（≧ｍ−ｎ）個のサンプルデータを削除する（ステップＳ２）。次に、ｑ（＝ｐ−（ｍ−ｎ））個のサンプルデータを、オーディオエラーコードに置換する（ステップＳ３）。
【００１９】
オーディオエラーコードとは、ＤＶ規格で規定されているコードであり、このサンプルデータが、無効データであることを定義しているコードである。通信路のエラーなどで誤り訂正が不可能な場合や、別の何らかの理由により、オーディオデータ自体に信頼性がないと判断された場合に使われている。ちなみに、ＤＶ規格で定義されているオーディオエラーコードは、１６ビット系オーディオエンコードデータでは８０００（Ｈ）、１２ビット系オーディオエンコードデータでは８００（Ｈ）である。
【００２０】
通常、オーディオ信号を再生する際に、このオーディオエラーコードが検知された場合、その該当サンプルデータの前後のデータの状況を基にデータ処理が行われ、前後のサンプルデータの信頼性が高いと判断された場合は、データ補間処理が行われ、そして、信頼性が低いと判断された場合は、ミュート処理などが行われる。
【００２１】
一方、（ｍ＜ｎ）の場合は、オーディオデータのサンプル数が不足してるため、記録オーディオデータにフレームサイズの差分（ｎ−ｍ）のｒ（＝ｎ−ｍ）個のオーディオエラーコードの値を持つサンプルデータをそのフレームデータに追加する（ステップＳ４）。
【００２２】
また、（ｍ＝ｎ）の場合は、特にデータ置換処理などは行う必要はない。
以上のフレームサイズ制御処理が行われたテープを再生した場合は、本来フレームサイズの差異により生じる波形の不連続点が補間処理により、人間の聴覚にノイズとして検知できないレベルにすることが期待できる。
【００２３】
図３は、本発明に係わるオーディオフレームサイズ制御の処理方法の一実施例を説明する図である。
次に、上記のフレームサイズ制御によるデータ置換処理の一実施例をこの図３を使って説明する。
ＮＴＳＣ方式において、オーディオエンコードモードが３２ＫＨｚの場合、１フレームあたりのオーディオサンプルデータ数（フレームサイズ）は、１０５３〜１０８０サンプル間の値を取る。磁気テープに記録されているオーディオデータのフレームサイズが、１０６７サンプル（図３（Ａ））の場合を使って説明する。
【００２４】
（ｍ＞ｎ）の場合の一例として、アフレコ編集により記録するオーディオデータのフレームサイズが１０７１サンプル（図３（Ｂ））の場合を考える。すなわち、４サンプル過多の状態である。その際は、図３（Ｃ）に例示するように、１０６８〜１０７１サンプルまでの４サンプルを削除し、かつ、１０６７サンプルのデータをオーディオエラーコードに置換する。これは、そのまま１０６７サンプルのデータと、次のフレームデータの先頭データ（１サンプルデータ）を接続すると、波形に不連続が発生することによる雑音が発生してしまうことから、この雑音発生を防ぐためである。
【００２５】
また、別の処理方法の一例を図３（Ｄ）に示す。この例は、１０５３，１０５９，１０６５，１０７１の４サンプルを削除した上に、１０５２，１０５８，１０６４，１０７０の４サンプルをオーディオエラーコードに置換した処理例である。ちなみに、図３（Ｃ）の処理方法に比べ、図３（Ｄ）の処理方法の方が、連続するオーディオエラーコード数が少ないため、再生時により高度な補間処理が期待できる。
【００２６】
逆に、（ｍ＜ｎ）の場合の一例として、アフレコ編集により記録するオーディオデータのフレームサイズが１０６３サンプル（図３（Ｅ））の場合を考える。即ち、４サンプルの過少の状態である。その際は、図３（Ｆ）に例示するように、１０６４〜１０６７の４サンプルに相当する仮想サンプルを想定し、そのサンプルデータの値をオーディオエラーコードにする。
また、別の処理方法の一例を図３（Ｇ）に示す。この例は、１０５１〜１０５２間，１０５５〜１０５６間，１０５９〜１０６０間，１０６３の後にオーディオエラーコードを値として持つ４サンプルを追加した処理例である。
【００２７】
なお、以上の説明に使った例では、追加・置換・削除の対象のサンプルデータが比較的近接のデータで、また処理対象とするサンプルを等間隔にサンプルを選定しているが、特に、そのように限定するものではなく、フレームに分散していても構わないし、また、不等間隔にサンプルを選定するなどいろいろな組み合わせ処理方法が想定できるものである。
また、上記の実施例では、ＤＶ規格におけるオーディオエラーコードを使い説明したが、別の規格において同様なコードが用意されている場合は、上記と同様のコード置換を使ったフレーム制御を行うことが可能である。
【００２８】
【発明の効果】
以上説明したように本発明によれば、映像信号をディジタル記録する記録再生装置において、ディジタルオーディオデータをアフレコ編集する際に、アフレコするオーディオデータのフレームサイズ制御を行うことにより、再生時のオーディオ信号波形に不連続が発生することによる雑音の発生を防ぐとともに、聴覚上音質劣化のないディジタルアフレコ編集が可能となる。
【図面の簡単な説明】
【図１】本発明に係わるディジタル信号記録再生装置の一実施例を示すブロック図である。
【図２】本発明に係わるオーディオフレームサイズ制御の処理方法の一実施例を示すフローチャートである。
【図３】本発明に係わるオーディオフレームサイズ制御の処理方法の一実施例を説明する図である。
【図４】ＤＶ規格ディジタルＶＴＲのテープトラックパターンを説明する図である。
【図５】ＤＶ規格ディジタルＶＴＲのオーディオセクタの構成を説明する図である。
【図６】ＤＶ規格ディジタルＶＴＲのＡＡＵＸ（ソースパック）の構成を説明する図である。
【符号の説明】
１…再生信号処理部、２，５…Ｄ／Ａ変換器、３…ビデオ信号再生処理部、４，２６…ディジタルインターフェイス、６…オーディオ信号再生処理部、７，２３…誤り訂正部、８，２４…チャンネルコーディング部、９…ＰＬＬ回路、１０…イコライザ、１１…再生アンプ、１２…再生ヘッド、１６…再生ＡＡＵＸデータ抽出部、１７…ＡＦサイズ制御部、１８…記録ＡＡＵＸデータ処理部、１９…記録ＡＡＵＸデータ抽出部、２０…記録信号処理部、２１，２７…Ａ／Ｄ変換器、２２…オーディオ信号記録処理部、２５…記録アンプ、２８…ビデオ信号記録処理部、２９…記録ヘッド。
【図１】
0003552955.tif 000002
【図２】
0003552955.tif 000003
【図３】
0003552955.tif 000004
【図４】
0003552955.tif 000005
【図５】
0003552955.tif 000006
【図６】
0003552955.tif 000007